(57)【要約】【課題】ジェルが本体部の表面を伝わないようにして、ジェルが本体部の表面や手に付着したり、通気孔を塞いだり、通気孔より本体部の内部へ進入したりするのを防止する。【解決手段】美顔器は、グリップ１０を有する本体部１に、顔面へ接触させて美顔処理を行うための一対の接触面３Ａ，３Ｂが設けられたものである。前記本体部１の各接触面３Ａ，３Ｂの外周には、接触面３Ａ，３Ｂより後退した位置に、本体部１の表面より突き出る突壁部１１Ａ，１１Ｂが取外しが可能に設けられている。【選択図】  図１
2005006837.tif 000002
【特許請求の範囲】
【請求項１】
グリップを有する本体部に、顔面へ接触させて美顔処理を行うための少なくとも１個の接触面が設けられた美顔器において、前記本体部の接触面の外周には、接触面より後退した位置に、本体部の表面より突き出る突壁部が取外しが可能に設けられて成る美顔器。
【請求項２】
前記接触面は、顔面へ選択的に接触させる２個の接触面より成り、第１の接触面は陰電位に設定されるか、または加温されるものであり、第２の接触面は冷却されるものである請求項１に記載された美顔器。
【請求項３】
前記突壁部はリング状の弾性体より成り、前記本体部の接触面の外周に周設された凹溝に取外しが可能に嵌め込まれている請求項１または２に記載された美顔器。
【請求項４】
前記弾性体にはひれ状部が内向きに一体形成されている請求項３に記載された美顔器。
【請求項５】
前記突壁部は、内周面にねじが形成されており、前記ねじを前記本体部の接触面の外周に形成されたねじに噛み合わせている請求項１または２に記載された美顔器。
【発明の詳細な説明】
【０００１】
【発明の属する技術分野】
この発明は、顔面に温熱などの物理的な作用を及ぼして美顔効果を得る美顔器に関し、特にこの発明は、一般に「ジェル」と呼ばれるゲル状の塗布剤（以下、「ジェル」という。）を用いて美顔処理を行うのに適した美顔器に関する。
【０００２】
【従来の技術】
従来、美顔器として、顔面を加温して冷却するようにしたものが提案されている（例えば、特許文献参照）。この美顔器は、手持ち操作のためのグリップを有する本体部に、顔面へ選択的に接触させて美顔処理を行うための一対の接触面が設けられたものである。一方の接触面はヒータによって加温され、他方の接触面はペルチェ素子によって冷却される。加温された接触面と冷却された接触面とを交互に顔面に接触させて温冷による温度差を肌に作用させ、肌を活性化する。なお、美顔器として、加温と冷却とを行うものの他に、その一方のみを行うようにしたもの、超音波振動や陰電位などを顔面に作用させるようにしたものなどもあるが、いずれの美顔器もグリップを有する本体部に顔面への接触面が設けられている。
【０００３】
【特許文献】
特開昭６３−２５７５５６号公報
【０００４】
【発明が解決しようとする課題】
この種の美顔器は、温度差などを利用して肌を活性化することを狙ったものであり、最近では、ジェルが塗布された顔面に美顔器の接触面を接触させてジェルを肌に浸透させるという使用法も行われている。ところが、美顔器の接触面を顔面に押し当てると、顔面に塗布されたジェルが接触面の周辺へ寄せられ、さらに本体部の表面を伝ってそのまま付着したり、グリップまで伝って手を汚したりするおそれがある。
【０００５】
また、ジェルが本体部に設けられた放熱用の通気孔より本体部内に入り込み、内部の機構に付着して劣化や絶縁不良を招くという問題もある。さらに、ジェルが通気孔を塞いで通気性を阻害するおそれもある。
【０００６】
ジェルが本体部の表面に付着しても、本体部には通気孔があるので、水洗いが困難であり、布などで拭き取る以外に方法がなく、十分な清掃が行えないという問題がある。
【０００７】
この発明は、上記した問題に着目してなされたもので、ジェルが本体部の表面を伝わないようにして、ジェルが本体部の表面や手に付着したり、通気孔を塞いだり、通気孔より本体部の内部へ進入したりするのを防止した美顔器を提供することを目的とする。
【０００８】
【課題を解決するための手段】
この発明による美顔器は、グリップを有する本体部に、顔面へ接触させて美顔処理を行うための少なくとも１個の接触面が設けられたものである。前記本体部の接触面の外周には、接触面より後退した位置に、本体部の表面より突き出る突壁部が取外しが可能に設けられている。
【０００９】
この発明の上記した構成において、「接触面」は、加温されるものであっても、冷却されるものであってもよい。さらに、陰電位に設定されたり、超音波で振動させたりするものであってもよい。
この発明の好ましい実施態様においては、「接触面」は、顔面へ選択的に接触させる２個の接触面より成るものであり、第１の接触面は陰電位に設定されるか、または加温されるものであり、第２の接触面は冷却されるものである。
【００１０】
「突壁部」は、接触部の周辺に寄せられたジェルが本体部の表面を伝うのを阻止するためのものであり、ジェルが容易に乗り越えない高さに設定するのが望ましい。また、「突壁部」を本体部より取外しが可能としたのは、ジェルが付着した突壁部を水洗いできるようにするためである。
【００１１】
好ましい一実施態様においては、「突壁部」は、リング状の弾性体より成り、前記本体部の接触面の外周に周設された凹溝に取外しが可能に嵌め込まれている。前記弾性体の材質として、肌触りのよいシリコンゴムを用いるのが望ましいが、その他のゴム材料を用いることもできる。突壁部と弾性体をもって構成すれば、本体部への着脱が容易であるとともに、弾性体を弾性復元力によって本体部にしっかりと固定できる。
【００１２】
前記弾性体は、例えば、断面形状が円形、楕円形、多角形など、種々の形態のものを用いることができる。また、弾性体は、ひれ状部を内向きに一体形成したものであってもよい。このひれ状部は、弾性体が本体部の凹溝に嵌め込まれたときに接触面に向けて延び、接触面の外周にジェルが入り込むのを防止する。
【００１３】
好ましい他の実施態様においては、「突壁部」は、内周面にねじが形成されており、前記ねじを前記本体部の接触面の外周に形成されたねじに噛み合わせている。この実施態様によると、突壁部を本体部に強固にねじ固定できるので、使用中に突壁部が脱落することがない。
【００１４】
【作用】
美顔処理に際して、顔面にジェルを塗布した後、グリップを手に持ち、本体部の接触面を顔面に接触させる。接触面を顔面に押し当てると、顔面に塗布されたジェルは接触面の周辺へ寄せられるが、突壁部が障害となるので、ジェルが本体部の表面を伝うのが阻止される。使用後は突壁部を本体部より取り外して水洗いすれば、ジェルが付着した突壁部を清掃できる。
【００１５】
【発明の実施の形態】
図１および図２は、この発明の一実施例である美顔器の外観を示している。
図示例の美顔器は、手持ち操作のためのグリップ１０を有する本体部１と、この本体部１の基端部より引き出されたコード線１１に取り付けられたプラグ２とから成る。プラグ２は電源コンセントへの抜き差しが可能である。本体部１の内部には、図３に示すように、後述する制御部や陰電位発生回路が実装される主基板９が、また、プラグ２の内部には電源回路が実装される電源基板２１が、それぞれ組み込まれている。
【００１６】
前記本体部１は、先端側が二股状に突き出ており、一方の突出部１Ａの先端面には第１の接触面３Ａが、他方の突出部１Ｂの先端面には第２の接触面３Ｂが、それぞれ臨ませてある。第１、第２の接触面３Ａ，３Ｂのいずれかを顔面へ選択的に接触させることにより、陰電位、温熱、および冷却による美顔処理を行う。
【００１７】
この実施例では、「オートモード」「電位美容モード」「温熱美容モード」「冷却美容モード」「温冷美容モード」の５種の動作モードのうち、そのいずれかを選択して設定することが可能となっている。
「オートモード」は、陰電位による美顔処理、温熱による美顔処理、および冷却による美顔処理をそれぞれ設定時間ずつ順次実行するモードである。この実施例では、陰電位による美顔処理と温熱による美顔処理については３分の設定時間が、また、冷却による美顔処理については２分の設定時間が、それぞれ設定されている。
【００１８】
「電位美容モード」は陰電位による美顔処理のみを設定時間（３分）だけ実行するモードであり、第１の接触面３Ａのみが用いられる。「温熱美容モード」は温熱による美顔処理のみを設定時間（３分）だけ実行するモードであり、第１の接触面３Ａのみが用いられる。「冷却美容モード」は冷却による美顔処理のみを設定時間（２分）だけ実行するモードであり、第２の接触面３Ｂのみが用いられる。「温冷美容モード」は温熱による美顔処理と冷却による美顔処理とを設定時間（２分）だけ実行するモードであり、第１の接触面３Ａと第２の接触面３Ｂとが交互に用いられる。
【００１９】
前記本体部１の表面には、モード設定などを行うための操作盤４が設けてある。この操作盤４には、美顔処理の開始と美顔処理の中止とを行うための始動／停止スイッチ、温熱による美顔処理についての温度を３段階（この実施例では「高」が４５℃、「中」が４２℃、「低」が３８℃）に設定するためのレベル設定スイッチ、上記した５種の動作モードを選択するためのモード選択スイッチ、「高」「中」「低」の３段階の設定温度を表示するレベル表示ランプ、「陰電位」「温熱」「冷却」のいずれの美顔処理中であるかを示すモード表示ランプなどが設けられている。
【００２０】
本体部１には、グリップ１０の部分を除く適所に多数の通気孔８が形成されている。特に、第２の接触面３Ｂが設けられた突出部１Ｂには、多数の通気孔８が集中して形成されており、これにより後述するペルチェ素子７の放熱を促進している。
【００２１】
前記本体部１の各突出部１Ａ，１Ｂは、図３に示すように、先端面が開放されている。一方の開放部分に熱伝導が良好なＡＢＳ樹脂などのキャップ３０Ａを被せることにより第１の接触面３Ａが形成され、他方の開放部分にステンレスなどの金属製のキャップ３０Ｂを被せることにより第２の接触面３Ｂが形成されている。
【００２２】
各突出部１Ａ，１Ｂの先端部の外周面には、第１、第２の各接触面３Ａ，３Ｂの周囲を一周する突壁部１１Ａ，１１Ｂが設けられている。この実施例の各突壁部１１Ａ，１１Ｂは、図４に示すように、シリコンゴムより成るリング状の弾性体１２Ａ，１２Ｂをもって構成されている。各突出部１Ａ，１Ｂの先端部の外周面には凹溝１３Ａ，１３Ｂがそれぞれ周設されており、各凹溝１３Ａ，１３Ｂに前記弾性体１２Ａ，１２Ｂが取外しが可能に嵌め込まれている。
【００２３】
各突壁部１１Ａ，１１Ｂは、第１、第２の各接触部３Ａ，３Ｂが顔面に押し付けられたとき、顔面に塗布されたジェルがたとえ各接触部３Ａ，３Ｂの周辺に寄せられても、各突出部１Ａ，１Ｂの表面を伝って流れ落ちるのを阻止するためのものである。従って、各突壁部１１Ａ，１１Ｂはジェルが容易に乗り越えないような高さに設定するのが望ましい。第１、第２の各接触面３Ａ，３Ｂは各突出部１Ａ，１Ｂの先端面より突き出ているので、各突壁部１１Ａ，１１Ｂは第１、第２の各接触面３Ａ，３Ｂより後退した位置にある。
【００２４】
この実施例の各弾性体１２Ａ，１２Ｂは、図５に示すように、断面形状が円形であるが、断面形状が楕円形や多角形のものであってもよい。また、各弾性体１２Ａ，１２Ｂは、図６に示すように、ひれ状部１４を内向きに一体形成したものであってもよい。このひれ状部１４は、弾性体１２Ａ，１２Ｂが各突出部１Ａ，１Ｂの凹溝１３Ａ，１３Ｂに嵌め込まれたときに第１、第２の各接触面３Ａ，３Ｂに向けて延びるもので、各接触面３Ａ，３Ｂの外周縁にジェルが入り込むのを防止する。
【００２５】
図３に戻って、前記キャップ３０Ａの内側には、第１の接触面３Ａに温熱を作用させるＰＴＣ（Ｐｏｓｉｔｉｖｅ  Ｔｅｍｐｅｒａｔｕｒｅ  Ｃｏｅｆｆｉｃｉｅｎｔ）ヒーター５と、第１の接触面３Ａに負の所定の電位（この実施例では、−２０００ボルト）を設定する電位出力パッド６０と、前記温熱が本体１内へ作用するのを阻止するための断熱材５０とが重ねて配置されるとともに、サーミスタより成るヒーター用温度センサ５１がＰＴＣヒーター５に接触させるようにして配置されている。
【００２６】
前記ＰＴＣヒーター５は、セラミック半導体を主成分とするもので、温度上昇に比例して抵抗値が上昇する性質を有している。このＰＴＣヒーター５の抵抗値が上昇すると、電流が減少して発熱量が減少するので、温度が一定に保持される。前記温度センサ５１は、第１の接触面３Ａを設定温度に保持するために、ＰＴＣヒーター５の温度を監視するためのものである。
【００２７】
前記電位出力パット６０には陰電位発生回路で発生させた負の所定の電位が印加される。前記陰電位発生回路は本体部１の内部に設けられた主基板９に実装されており、陰電位発生回路と電位パット６０とは導線９０により電気接続されている。なお、図３において、９１はＰＴＣヒーター５と主基板９とを結ぶ導線、９２は温度センサ５１と主基板９とを結ぶ導線であり、陰電位発生回路、ＰＴＣヒーター５、および温度センサ５１は、主基板９に実装された制御部に接続されている。
【００２８】
前記制御部は、上記した構成の美顔器の動作を制御するもので、マイクロコンピュータにより構成されている。マイクロコンピュータは、図示していないが、制御の主体であるＣＰＵ、プログラムや固定データが格納されるＲＯＭ、データが読み書きされるＲＡＭを含むもので、ＣＰＵは、ＲＯＭに格納されたプログラムに従ってＲＡＭに対するデータの読み書きを行いながら入出力各部の動作を一連に制御する。
【００２９】
前記キャップ３０Ｂの内側には、第２の接触面３Ｂを冷却するペルチェ素子７が配置されている。このペルチェ素子７はその冷却面をキャップ３０Ｂの内面に接触させ、放熱面には放熱フィン７０が接続されている。さらに、キャップ３０Ｂの内側には、サーミスタより成るペルチェ素子用温度センサ７２および放熱フィン用温度センサ７３がキャップ３０Ｂおよび放熱フィン７０にそれぞれ接触させるようにして配置されるとともに、放熱フィン７０に対向させて冷却ファン７１が配置されている。
【００３０】
ペルチェ素子用温度センサ７２は、第２の接触面３Ｂを設定温度に保持するために、ペルチェ素子７の温度を監視する。また、放熱フィン用温度センサ７３は、放熱フィン７０を所定の温度に保持するために、放熱フィン７０の温度を監視する。冷却ファン７１は放熱フィン７０へ送風して放熱させるものである。なお、図３において、９３はペルチェ素子７と主基板９とを結ぶ導線、９４，９５は各温度センサ７２，７３と主基板９とをそれぞれ結ぶ導線であり、ペルチェ素子７および各温度センサ７２，７３は主基板９上の制御部に接続されている。
【００３１】
前記主基板９には、音を発生させて報知するための発音回路とスピーカー１０１とが実装されている。前記発音回路は、操作盤４の始動／停止スイッチ、レベル設定スイッチ、およびモード選択スイッチが押されたときにはスピーカー１０１より「ピー」というブザー音を発生させる。また、「オートモード」などの動作モードで動作しているとき、陰電位による美顔処理、温熱による美顔処理、および冷却による美顔処理のそれぞれの設定時間が経過したときには所定の旋律の音を発生させる。
【００３２】
上記した構成の美顔器を用いて美顔処理を行うには、まず、顔面にジェルを塗布した後、本体部１のグリップ１０を手に持ち、動作モードに従って第１、第２の接触面３Ａ，３Ｂの一方を顔面に接触させる。この場合に、各突壁部１１Ａ，１１Ｂは第１、第２の各接触面３Ａ，３Ｂより後退した位置にあるから、各接触面３Ａ，３Ｂを顔面に接触させることの妨げにならない。第１、第２の接触面３Ａ，３Ｂのいずれかを顔面に押し当てると、顔面に塗布されたジェルは接触面３Ａ，３Ｂの周辺へ寄せられるが、突壁部１１Ａ，１１Ｂが障害となるので、ジェルが本体部１の各突出部１Ａ，１Ｂの表面を伝うのが阻止される。
【００３３】
美顔器を使用した後は、突壁部１１Ａ，１１Ｂを構成する弾性体１２Ａ，１２Ｂを凹溝１３Ａ，１３Ｂより取り外して水洗いすれば、突壁部１１Ａ，１１Ｂを清掃できる。
【００３４】
【発明の効果】
この発明によれば、顔面に塗布されたジェルが本体部の表面を伝わないように構成したから、ジェルが本体部の表面や手に付着したり、通気孔を塞いだり、通気孔より本体部の内部へ進入したりするのを防止できる。また、突壁部は取外しが可能であるので、ジェルが付着した突壁部を水洗いすることで容易に清掃できる。
【図面の簡単な説明】
【図１】この発明の一実施例である美顔器の正面図である。
【図２】美顔器の側面図である。
【図３】図２のＡ−Ａ線に沿う断面図である。
【図４】第１，第２の突壁部の構成を示す正面図である。
【図５】弾性体の平面図およびＢ−Ｂ線に沿う断面図である。
【図６】弾性体の他の実施例の平面図およびＣ−Ｃ線に沿う断面図である。
【符号の説明】
１    本体部
３Ａ  第１の接触面
３Ｂ  第２の接触面
１０  グリップ
１１Ａ，１１Ｂ  突壁部
１２Ａ，１２Ｂ  弾性体
１３Ａ，１３Ｂ  凹溝
１４  ひれ状部
【図１】
2005006837.tif 000003
【図２】
2005006837.tif 000004
【図３】
2005006837.tif 000005
【図４】
2005006837.tif 000006
【図５】
2005006837.tif 000007
【図６】
2005006837.tif 000008